(57)【特許請求の範囲】
【請求項１】
相対向する側板（第１の側板）と、当該第１の側板に直交する方向に設けた相対向する側板（第２の側板）と、これらの側板と別体に形成された底板と、前記底板を前記側板に係止させる底板係止手段とを具え、前記底板係止手段を開放することによって、前記底板を取り外すことができるように構成したコンテナにおいて、
前記底板係止手段が、前記コンテナの下端部に水平方向に回動可能に設けられた板状部材と、当該板状部材を前記コンテナの下端に枢着させた状態を保持するストッパ手段とを具え、
前記板状部材を閉じてコンテナ下端に枢着させた状態において、前記第１及び第２の側板で画成する空間内に当該板状部材が張り出して前記底板を係止するとともに、
前記板状部材を開いた状態では、当該板状部材と前記底板の係止がはずれて、前記底板を前記コンテナから取り外せるように構成したことを特徴とするコンテナ。
【請求項２】
相対向する側板（第１の側板）と、当該第１の側板に直交する方向に設けた相対向する側板（第２の側板）と、これらの側板と別体に形成された底板と、前記底板を前記側板に係止させる底板係止手段とを具え、前記底板係止手段を開放することによって、前記底板を取り外すことができ、前記第１及び第２の側板の少なくとも一方が、それぞれ連結部を介して連結された二枚の板状部材からなり、当該連結部にて折り畳めるように構成されているコンテナにおいて、
前記底板係止手段が、前記コンテナの下端部に水平方向に回動可能に設けられた板状部材と、当該板状部材を前記コンテナの下端に枢着させた状態を保持するストッパ手段とを具え、
前記板状部材を閉じてコンテナ下端に枢着させた状態において、前記第１及び第２の側板で画成する空間内に当該板状部材が張り出して前記底板を係止するとともに、
前記板状部材を開いた状態では、当該板状部材と前記底板の係止がはずれて、前記底板を前記コンテナから取り外せるように構成したことを特徴とするコンテナ。
【請求項３】
相対向する側板（第１の側板）と、当該第１の側板に直交する方向に設けた相対向する側板（第２の側板）と、これらの側板と別体に形成された底板と、前記底板を前記側板に係止させる底板係止手段とを具え、前記底板係止手段を開放することによって、前記底板を取り外すことができるように構成したコンテナにおいて、
前記底板係止手段が、前記コンテナの下端部に固定的に設けられており、前記第１及び第２の側板が画成する空間内に張り出した板状部材と、前記底板を水平方向に摺動可能に保持する保持手段とを具え、
前記底板を所定の位置においたときに、前記板状部材が前記底板を前記空間の下端部に係止するとともに、
前記底板を摺動させて前記所定の位置から水平方向にずらしたときに、当該板状部材と前記底板の係止がはずれて、前記底板を前記コンテナから取り外せるように構成したことを特徴とするコンテナ。
【請求項４】
相対向する側板（第１の側板）と、当該第１の側板に直交する方向に設けた相対向する側板（第２の側板）と、これらの側板と別体に形成された底板と、前記底板を前記側板に係止させる底板係止手段とを具え、前記底板係止手段を開放することによって、前記底板を取り外すことができ、前記第１及び第２の側板の少なくとも一方が、それぞれ連結部を介して連結された二枚の板状部材からなり、当該連結部にて折り畳めるように構成されているコンテナにおいて、
前記底板係止手段が、前記コンテナの下端部に固定的に設けられており、前記第１及び第２の側板が画成する空間内に張り出した板状部材と、前記底板を水平方向に摺動可能に保持する保持手段とを具え、
前記底板を所定の位置においたときに、前記板状部材が前記底板を前記空間の下端部に係止するとともに、
前記底板を摺動させて前記所定の位置から水平方向にずらしたときに、当該板状部材と前記底板の係止がはずれて、前記底板を前記コンテナから取り外せるように構成したことを特徴とするコンテナ。
【請求項５】
請求項３又は４に記載のコンテナにおいて、前記底板が一方の相対向する辺の各々に係止部及び通過部を形成しており、
前記板状部材が前記底板に形成した係止部及び通過部に対応する形状の係止部及び通過部を有し、
前記空間下端に前記底板を置いたときに、前記底板に設けた係止部と前記板状部材に設けた係止部とが噛み合って前記底板を前記空間の下端部に係止すると共に、
前記底板を摺動させて水平方向に移動させることによって、前記底板に設けた係止部の位置が前記板状部材に設けた係止部の位置からずれて、前記底板に設けた係止部が前記板状部材に設けた通過部を通過して前記底板を前記側板から取り外せるように構成したことを特徴とするコンテナ。
【請求項６】
相対向する側板（第１の側板）と、当該第１の側板に直交する方向に設けた相対向する側板（第２の側板）と、これらの側板と別体に形成された底板と、前記底板を前記側板に係止させる底板係止手段とを具え、前記底板係止手段を開放することによって、前記底板を取り外すことができるように構成したコンテナにおいて、
前記底板係止手段が、前記コンテナの下端部に固定的に設けられているとともに、前記第１及び第２の側板のうちの対向する二辺の側板を、高さ方向に分割した二枚の板状部材から構成し、
この二枚の板状部材の上端部を第１のヒンジ部にて、下端部を第２のヒンジ部にて連結させ、
前記第１のヒンジ部を前記対向する二辺の側板を構成する２枚の板状部材の一方に固定された第１のヒンジ部材と前記２枚の板状部材の他方の板状部材に設けた軸部とで構成するとともに、前記第１のヒンジ部材の回動片を前記軸部に対して回動可能に取りつけ、
前記第２のヒンジ部を、前記対向する二辺の側板を構成する２枚の板状部材の一方に固定された第２のヒンジ部材と、前記２枚の板状部材の他方の板状部材に設け前記第２のヒンジ部材の回動片に着脱自在であるロック部材とで構成して、前記第２のヒンジ部材の回動片を前記ロック部材に対して係止させることによって第２のヒンジ部をロック可能とし、
前記第２のヒンジ部をロックした状態において、前記底板係止手段が前記底板を係止するとともに、
前記第２のヒンジ部のロック部を開放し、前記第１のヒンジ部の軸部を中心に前記二枚の板状部材を互いに離れるよう回転させて、前記底板係止部を拡開させた状態において、前記底板を前記コンテナから取り外せるよう構成したことを特徴とするコンテナ。
【請求項７】
請求項６に記載のコンテナにおいて、前記対向する二辺側の側板を構成する２枚の板状部材のそれぞれを、対向する二辺に直交する方向に延在する二辺側の側板に固定された第１の板状部材と、この板状部材に第３のヒンジ部を介して連結された第２の板状部材として構成し、この第３のヒンジ部の内側に存在する前記第２の板状部材を前記コンテナの内側に畳み込めるように構成したことを特徴とするコンテナ。
【請求項８】
請求項７に記載のコンテナにおいて、前記第１及び第２の側板のうちの前記対向する二辺に直交する方向に延在する二辺の側板に、コンテナ同士を積み重ねる時の位置決め用の係合部を設けたことを特徴とするコンテナ。
【発明の詳細な説明】
【０００１】
【発明の属する技術分野】
本発明は、物を収納するコンテナに関するものであり、とくに、ダンボール材、合成樹脂製の薄板等でできたコンテナで、商品の収納、運搬、陳列を効率よく行えるようにしたコンテナに関するものである。
【０００２】
【従来の技術】
従来、商品の収納、運搬には、四枚の側板、底板、蓋からなるダンボール箱や、プラスチック製の箱などが好適に用いられている。また、ビンや缶などに収納された液体の運搬には、蓋がなく、底板内面にビンや缶等の外形に応じた凹部を設け、容器が内部でずれないようにしたプラスチック製のコンテナを用いる場合もある。
【０００３】
【発明が解決しようとする課題】
このような商品運搬用のダンボール箱やコンテナは、商品を運搬した後、商店などでその商品を陳列する場合に、コンテナの上側（蓋側）から商品を取りだして、陳列棚に並べる必要がある。特に、酒、醤油、ソースなどの液体調味料、液状の洗剤、柔軟剤など液体の商品は、びん、缶、プラスチック容器などの小分け容器に収容されており、一つのコンテナに１０本、あるいは１ダースといった単位で収納されて小売商店へ運搬されてくる。したがって、これらの小分け容器に入った商品を一本ずつ取りだして陳列棚に並べるには、多大な手間と時間がかかることになる。
【０００４】
このような手間を省くため、上半分程度を容易に切り取ることができるように構成したダンボール箱が考案されている。箱に商品を収納して搬送してきた後、、商店等の陳列場所にダンボールごと商品を置いて、ダンボール箱の上側を切り取って商品の上部を露出させてそのまま陳列するようにしたものである。
【０００５】
この方法によれば、ダンボール箱からいちいち商品を取りだして並べる手間を省くことができ、容易に商品を陳列することができる。しかしながら、この方法では、ダンボール箱を半分程度切り取ってしまうため、箱を一度使用したらそのままでは、運搬用容器として再度使用することができない。
【０００６】
本発明は、このような問題を解決すべくなされたものであり、再度繰り返し使用可能であり、かつ、運搬した商品をコンテナから一つずつ取りだすことなく、運搬に用いた箱単位で順次陳列することが可能なコンテナを提供することを目的とするものである。
【０００７】
【課題を解決するための手段】
上記課題を解決するために、本発明のコンテナは、相対向する側板（第１の側板）と、当該第１の側板に直交する方向に設けた相対向する側板（第２の側板）と、これらの側板と別体に形成された底板と、前記底板を前記コンテナの下端部に係止させる底板係止手段とを具え、前記底板係止手段を開放することによって、前記底板を取り外すことができるように構成したことを特徴とする。
【０００８】
このように構成することによって、商品の運搬中は、底板係止手段を用いて底板を側板の下端に係止させて通常のコンテナと同様に使用し、目的とする陳列位置にコンテナを搬送した後底板の係止を解除して、コンテナの側板を上方に抜き取るようにすれば、コンテナに収納した商品をいちいちとり出すことなく、商品全部をまとめて一度に陳列位置に並べることができる。従って、商品を取りだす手間が省けるとともに、少なくとも側板部分は繰り返し使用することができるので、資源の節約を図ることができる。なお、商品を取り出すときのみならず、コンテナ内に商品を収納する場合も、予め用意しておいた底板の上に商品を並べて、コンテナの側板をその上からかぶせた後に、底板をコンテナに係止させるようにすれば、コンテナに商品を収容する際の手間も簡単にすることができる。
【０００９】
また、本発明にかかるコンテナは、前記第１及び第２の側板の少なくとも一方が、それぞれ連結部を介して連結された二枚の板状部材からなり、当該連結部にて折り畳めるように構成されていることを特徴とする。
このように、側板部分を折り畳み可能に構成することによって、コンテナを商品の搬送に使用した後、空のコンテナを返送する際、あるいは、コンテナ自体を使用せずにしまって置く場合に取扱が容易になると共に、返送に使用する車両または収納に使用する倉庫等のスペースを有効に利用することができる。
【００１０】
本発明にかかるコンテナは、様々な態様が考えられる。
本発明の好適な実施形態では、前記底板係止手段が、前記コンテナの下端部に水平方向に回動可能に設けられた板状部材と、当該板状部材を前記コンテナの下端に枢着させた状態を保持するストッパ手段とを具え、
前記板状部材を閉じてコンテナ下端に枢着させた状態において、前記第１及び第２の側板で画成する空間内に当該板状部材が張り出して前記底板を係止するとともに、
前記板状部材を開いた状態では、当該板状部材と前記底板の係止がはずれて、前記底板を前記側板から取り外せるように構成したことを特徴とする。
【００１１】
この構成においては、底板係止手段が、コンテナの下端部に水平方向に回動可能に設けられた板状部材と、当該板状部材を前記コンテナの下端に枢着させた状態を保持するストッパ手段とを具えており、底板は第１及び第２の側板で画成される空間内に張り出した板状部材によってコンテナ下端に係止される。板状部材は水平方向に回動するように構成されており、これを開くことによって板状部材と底板の係止が外れて、底板とコンテナの収容物を残して側板と底板係止手段とからなるコンテナ本体のみを取り外すことが可能となる。
【００１２】
本発明の他の好適な実施形態では、前記底板係止手段が、前記コンテナ下端部に上下方向に回動可能に設けた板状部材と、当該板状部材を前記コンテナの下端に枢着させた状態を保持するストッパ手段とを具え、
前記板状部材を閉じてコンテナ下端に枢着させた状態において、前記第１及び第２の側板が画成する空間内に当該板状部材が張り出して前記底板を係止するとともに、
前記板状部材を開いた状態では、当該板状部材と前記底板の係止がはずれ、前記底板を前記側板から取り外せるように構成したことを特徴とする。
【００１３】
このような構成においては、板状部材をコンテナ本体の下端において下側に回動させることによって底板の係止が開放される。板状部材を開くことによって板状部材と底板の係止が外れて、やはり、底板とコンテナの収容物を残して側板と底板係止手段とからなるコンテナ本体のみを取り外すことが可能となる。
【００１４】
さらに、本発明の他の好適な実施形態は、前記底板係止手段が、前記第１及び第２の側板の下端部が画成する空間内に張り出しており、水平方向に摺動自在に設けられた板状部材を具え、
前記板状部材を所定の位置においたときに、当該板状部材が前記底板を前記空間の下端部に係止するとともに、
前記板状部材を摺動させて前記所定の位置から水平方向にずらしたときに、当該板状部材と前記底板の係止がはずれて、前記底板を前記側板から取り外せるように構成したことを特徴とする。
【００１５】
このような構成においては、板状部材を水平方向に摺動させることによって底板の係止が開放される。この底板の係止は、例えば、底板の一方の相対向する辺のに係止部及び通過部を形成し、板状部材にこの底板に形成した係止部及び通過部に対応する形状の係止部及び通過部を形成することで実現される。この場合、前記空間下端に底板を置いたときに、底板に設けた係止部と板状部材に設けた係止部とが噛み合って底板が前記空間の下端部に係止され、板状部材を摺動させて水平方向に移動させることによって、底板に設けた係止部が板状部材に設けた係止部のからずれて、底板に設けた係止部が板状部材に設けた通過部を通過して底板をコンテナから取り外すことができる。
【００１６】
さらに、本発明の他の好適な実施形態では、前記底板係止手段が、前記コンテナの下端部に固定的に設けられており、前記第１及び第２の側板が画成する空間内に張り出した板状部材と、前記底板を水平方向に摺動可能に保持する保持手段とを具え、
前記底板を所定の位置においたときに、前記板状部材が前記底板を前記空間の下端部に係止するとともに、
前記底板を摺動させて前記所定の位置から水平方向にずらしたときに、当該板状部材と前記底板の係止がはずれて、前記底板を前記側板から取り外せるように構成したことを特徴とする。
【００１７】
このような構成においては、底板を水平方向に摺動させることによって底板の係止が開放される。この底板の係止は、例えば、底板の一方の相対向する辺の各々に係止部及び通過部を形成するとともに、コンテナの下端部に固定的に設けた板状部材に底板に形成した係止部及び通過部に対応する形状の係止部及び通過部を形成することで実現される。この場合、前記空間下端に底板を置いたときに底板に設けた係止部と前記板状部材に設けた係止部とが噛み合って前記底板を前記空間の下端部に係止され、底板を摺動させて水平方向に移動させることによって、底板に設けた係止部の位置が板状部材に設けた係止部の位置からずれて、底板に設けた係止部が板状部材に設けた通過部を通過して前記底板を前記コンテナから取り外すことができる。
【００１８】
さらに、本発明の他の好適な実施形態では、前記底板係止手段が、前記コンテナの下端部に掛け渡され、移動可能に構成された棒状部材を具え、
前記底板を前記棒状部材の上に乗せて、前記底板を前記第１及び第２の側板の下端部に係止するとともに、
前記棒状部材を移動させて前記底板の係止を解除して、前記底板を前記側板から取り外せるように構成したことを特徴とする。
【００１９】
このような構成においては、底板は、コンテナの側板の下端部に掛け渡された棒状部材によって係止され、この棒状部材を移動させることによって底板の係止が解除される。
【００２０】
さらに、本発明の他の好適な実施形態では、前記底板係止手段が、前記コンテナの下端部に固定的に設けられているとともに、前記第１及び第２の側板のうちの対向する二辺の側板を、高さ方向に分割した二枚の板状部材から構成し、
この二枚の板状部材の上端部を第１のヒンジ部にて、下端部を第２のヒンジ部にて連結させ、
前記第１のヒンジ部を前記対向する二辺の側板を構成する２枚の板状部材の一方に固定された第１のヒンジ部材と前記２枚の板状部材の他方の板状部材に設けた軸部とで構成するとともに、前記第１のヒンジ部材の回動片を前記軸部に対して回動可能に取りつけ、
前記第２のヒンジ部を、前記対向する二辺の側板を構成する２枚の板状部材の一方に固定された第２のヒンジ部材と、前記２枚の板状部材の他方の板状部材に設け前記第２のヒンジ部材の回動片に着脱自在であるロック部材とで構成して、前記第２のヒンジ部材の回動片を前記ロック部材に対して係止させることによって第２のヒンジ部をロック可能とし、
前記第２のヒンジ部をロックした状態において、前記底板係止手段が前記底板を係止するとともに、
前記第２のヒンジ部のロック部を開放し、前記第１のヒンジ部の軸部を中心に前記二枚の板状部材を互いに離れるよう回転させて、前記底板係止部を拡開させた状態において、前記底板を前記コンテナから取り外せるよう構成したことを特徴とする。
【００２１】
このような構成においては、短辺側の側板を構成する二枚の板状部材を上端部を固定した状態で下端部を拡開することができ、この拡開させた下端部から前記底板を前記コンテナ外へ取り外すことができる。更に、これらの二枚の板状部材を必要に応じて内側に畳み込めるように構成することによって、コンテナの移動あるいは収納に際しての便宜を図ることができる。
【００２２】
【発明の実施の形態】
次に、図面に基づいて本発明の実施の形態を説明する。
図１は、本発明にかかるコンテナの実施形態を上方向から見た斜視図、図２は、下方向から見た斜視図である。
【００２３】
コンテナ１は、第１の方向に延在し相対向して設けられた第１の側板１１、側板１１に直交する方向に延在して、相対向して設けられた第２の側板１２を具える。これらの側板１１および１２は、互いに別体で構成されており、上端部に上枠１３を、下端部に下枠１４をはめて各側板の位置を固定してコンテナ本体を形成している。第２の側板１２には、高さ方向における中央にヒンジ１２ａが設けられており、このヒンジ部１２ａを介して折り畳むことができる。従って、コンテナ１を使用しない時には、コンテナ１を構成する各部品をコンパクトに収納することができる。なお、各側板にはリブ１１ａ、１２ｂを設けており、側板の強度を補強するようにしている。
【００２４】
本例では、下枠１４の外周をほぼ囲むような形で、底板係止部材２１が設けられている。なお、底板係止部材２１は、長手方向に延在する２枚の側板１２の下端部に、左右対称に設けられているが、説明を簡単なものにするために、以下の説明では、一方についてのみ言及するものとする。
【００２５】
底板係止部材２１はＩ字形状のサッシ部２２と、このサッシ部２２の両端に、それぞれヒンジ部２３を介して設けられたＬ字形状の拡開部２４とを具えており、全体的にはヒンジ部２３を閉じたときにコの字型を成す。サッシ部２２は内側に係止片２２ａを有しており、この係止片２２ａを下枠１４の側面にはめ込むことによって、外枠１４の外側のほぼ中央に固定される。拡開部２４は、サッシ部２２とほぼ同じ太さを有するＬ字状部材２４ａと、この部材２４ａの下側に、内側に向けて水平に張り出したＬ字状の板状部材２４ｂとで構成されている。拡開部２４は、ヒンジ部２３を閉じたときにＬ字状部材２４ａの屈曲部が下枠１４の角部に枢着し、板状部材２４ｂが側板１１および１２で画成される空間内に張り出して、底板２をコンテナ１の下端部に係止するよう作用する。なお、図１に示すように、拡開部２４の先端はテーパ形状を有すると共に、このテーパ部分が若干外側に開いており、拡開部を開閉する際にこのテーパ部を持ち手として利用できる。
【００２６】
側板１１、１２とは別体に形成された底板２は、コンテナ１の開口よりやや小さめにして、コンテナ１の開口を介して上下方向に容易に出し入れできるように構成されている。本例では、図２に示すように底板１の長手方向における両端部を上側に屈曲させて、コンテナ本体を底板からはずした際に、底板の上に載置された収納物を底板２ごと容易に取り扱えるように構成した。底板の素材は、必ずしもコンテナ本体の素材と同じでなくとも良く、底板を使い捨てにする場合は、例えばダンボール材などを好適に使用することができる。
【００２７】
図３は、底板２からコンテナ本体をとりはずす状態を示す図である。側板１１、１２を組み立てて、上枠１３および下枠１４を所定の位置にはめこんで、コンテナ本体を形成し、底板係止部材２１の拡開部２４を閉じた状態にして、底板２をコンテナ本体の上側開口から入れてＬ字状の係止板２４ｂにてこれを係止させ、びんに詰めた液体等の内容物（商品）を収納する。底板２及びコンテナの内容物はＬ字状の係止板２４ｂにて支持され、コンテナ１は通常の箱として使用できる。
【００２８】
一方、商品を収容したコンテナを、その商品を陳列する場所まで運搬して、そこに置き、底板係止部材２１の拡開部２４を左右に開いて、板状部材２４ｂによる底板２の係止を解除する。板状部材２４ｂによる底板２の係止が外れるので、コンテナ１をそのまま持ち上げれば、底板２と商品のみが陳列位置に残ることになる。コンテナ１に収納した商品の高さが一定である場合は、図３に示すように、陳列した商品の上に更にコンテナを置いて、拡開部２４を開けば、間に底板２を挟んで商品を重ねて陳列することができる。
【００２９】
図４及び図５は、本発明のコンテナの第２の実施形態を示す図であり、図３は底板係止部材を閉じた状態を示す図、図４は底板係止部材を開いた状態を示す図である。なお、以下の実施の形態において、底板２を係止する底板係止部材以外の構成は第１の実施形態と同じであるので、同じ符号を用いてその説明は省略するものとする。また、底板係止部材は左右対称に設けられているので、説明を簡単にするために、一方の部材についてのみ説明するものとする。
【００３０】
本例の、底板係止部材３１は、一方の側にコンテナの外枠１４の下端の形状に沿うように段差を設けた板状部材から構成されている。底板係止部材３１の長手方向の辺３２が、ヒンジ部３３を介してコンテナの外枠１４に連結されており、図４に示すように、ヒンジ部３３を閉じた時に底板係止部材３１全体が外枠１４に密着し、底板係止部材３１の板状部分３１ａがコンテナ１内の空間に張り出して、底板２を係止する。また、図５に示すように、ヒンジ部３３を開くことによって底板係止部材３１全体が外枠１４の下端を中心に下側に回動して、底板２の係止が解除されるように構成されている。外枠１４の短手方向の辺には、底板係止部材３１を下枠１４に止め付けるスライド式のストッパ３４が設けられている。ヒンジ部３３を閉じて底板係止部材３１を外枠１４に密着させて、ストッパ３４を外側にスライドさせることによって、底板係止部材３１の板状部分３１ａがコンテナ１内の空間に張り出して、底板２を係止した状態を保つことができる。
【００３１】
コンテナ１を組み立てて、底板係止部材３１を閉じて商品を収納して運搬し、商品の陳列場所でストッパ３４を解除し、コンテナ本体１を上に持ち上げながら拡開部３１を左右に開くようにして底板２と商品とのみを陳列場所に残すようにする。
【００３２】
図６及び図７は、本発明のコンテナの第３の実施形態を示す図であり、図６はコンテナ１に底板２を取り付けた状態を示す図、図７は底板２を取り外した状態を示す図である。本実施形態においては、底板２の長手方向における両辺に複数の凹凸形状の係止部及び通過部２ａを設けている。一方、外枠１４の内側に、内側にやはり凹凸形状の係止部及び通過部４１ａを設けた底板係止部材４１がコンテナ１の長手方向に摺動可能に設けられている。係止部及び通過部４１ａはコンテナ１の側板１１、１２で画成される空間に張り出すように設けられており、底板２に設けた係止部及び通過部２ａに対応する形状を有する。図６に示すように、底板２をコンテナ１の下端に置いたときに、底板２に設けた係止部及び通過部２ａの係止部と、底板係止部材４１の内側の辺に設けた係止部及び通過部４１ａの係止部とが互い違いに噛み合って、底板２を所定の位置に係止するように構成されている。
【００３３】
底板係止部材４１は、下枠１４の短手方向の片の両端部に設けられた孔４２を介してコンテナ１の長手方向に摺動可能に設けられており、孔４２側の端部には持ち手４３が形成されている。図７に示すように、持ち手４３を引くことによって、底板係止部材４１が水平に移動して、底板に設けた係止部及び通過部２ａの係止部と底板係止部材４１に設けた係止部及び通過部４１ａの係止部との位置がずれて、底板に設けた係止部が底板係止部材４１に設けた通過部を通過して底板２がコンテナ１から外れるように構成されている。
【００３４】
従って、第３の実施形態においては、商品を収納したコンテナを商品の陳列位置に置いて、持ち手６３を横方向に引くことによって、底板２の係止が解除され、この状態でコンテナ１を上に持ち上げれば、底板２と商品とを所望の位置に残したままコンテナだけを外すことができる。
【００３５】
図８及び図９は、本発明のコンテナの第４の実施形態を示す図であり、図８は、底板２を取り付けた状態を示す図、図９は底板２を取り外した状態を示す図である。第３の実施形態と同様に、底板２の長手方向の辺に複数の凹凸形状の係止部及び通過部２ａを設けると共に、コンテナの下枠１４にこの係止部及び通過部２ａに対応する形状の係止部及び通過部５１が固定的に設けられている。図８に示すように、底板２をコンテナの上側開口から入れると、底板２の係止部及び通過部２ａの係止部と下枠１４に設けた係止部及び通過部５１の係止部とが互い違いに噛み合って、底板２が、コンテナ１の下端に係止されるように構成されている。
【００３６】
本例では、底板２の、短手方向の辺２ｃから所定の長さだけ内側に、この辺２ｃの延在方向に平行にヒンジ部２ｄが設けられており、図９に示すように底板２がこのヒンジ部２ｄにおいて上側に折れ曲がるように構成されている。従って、コンテナ１を所定の位置に置いた後、コンテナ１を横方向にずらすようにすれば、係止部及び通過部２ａの係止部と係止部及び通過部５１の係止部との係合がはずれて、底板３３をコンテナから取り外すことができる。なお、底板２のヒンジ部２ｄを設けた側の端部に例えばひも状の持ち手を取り付けて、コンテナ１の上側開口からこの持ち手を引っ張るなどして、底板２を横にずらせるようにしても良い。
【００３７】
図１０は、本発明のコンテナの第５実施形態を示す図である。本実施形態では、下枠１４の内側に、コンテナ１の長手方向に延在するように棒状部材６１が設けられている。下枠１４の短手方向における辺１４ａの両端部には、長孔６２が横方向に設けられており、この長孔６２に棒状部材６１の端部が差し込まれている。棒状部材６１の両端には下枠１４の下端の形状に沿うようにクランク６１ａが設けられており、棒状部材６１が下枠１４の下端とほぼ同じ面に位置するように構成されている。
【００３８】
棒状部材６１を長孔６２の内側に位置させ、棒状部材８１を外枠１４から若干内側によせて、この上に底板２を載せて係止する。長孔６２に沿って棒状部材６１を外側に移動させることによって、底板２の係止を解除する。なお、底板２の四隅に切り欠き２ｅが設けられており底板２の係止を容易にはずせるようにしている。また、長孔６２の両端は下側に丸みを帯びた形状をしており、ここに棒状部材６１の端部を落とすことによって棒状部材６１の水平方向における位置が決まる。
【００３９】
本発明の実施形態は、上述の例に限定されるものではなく、様々な変形が考えられる。第１〜第５実施形態においては、長手方向の側板１２を折り畳み可能に構成しているが、図１１〜１５に示すように、４枚の側板を一体的に形成したコンテナに本発明を応用するようにしても良い。また、上述の実施形態では、底板の係止部材を下枠１４の長手方向に設けるようにしているが、コンテナに収容する商品の形態によっては、この係止部材を下枠１４の短手方向に設けるようにしても良い。なお、本発明のコンテナの形状は正方形でも良いことは言うまでもない。また、底板係止部材の大きさについても、上述した実施形態に限定されるものではなく、コンテナに収納する商品が重いものである場合は係止部材の底板との係合部分の面積を大きくするなど、必要に応じて変形させることができる。
【００４０】
図１６は、本発明のコンテナの第６の実施形態を示す図である。本実施形態において、図１に示す第１の実施形態と同一の部材には同じ符号を用いてその説明を省略する。また、上述した他の実施形態と同様に、側板は左右対称に設けられており、そのうちの一方の部材についてのみ説明するものとする。図１６に示す第６実施形態では、底板係止部材２１は、長辺側の第２の側板１２に固定的に設けられている。底板係止部材２１は、側板１１および１２で画成される空間内に張り出して、底板２をコンテナ１の下端部に係止するよう作用する。また、短辺側の側板１１は、高さ方向に分割された二枚の板状部材７１、７２から構成されている。
【００４１】
側板１１の上端部および下端部に、それぞれ第１のヒンジ部７３と第２のヒンジ部７４とが設けられている。側板１１の上端部に設けた第１のヒンジ部７３は、一方の板状部材７２に固定されているヒンジ部材７３ａと、他方の板状部材７１に設けた軸部材７３ｂとで構成されており、ヒンジ部材７３ａの回動片を、この軸部材７３ｂを中心に回動可能になるように軸部材７３ａに取付けるようにする。一方、側板１１の下端部に設けた第２のヒンジ部７４は、一方の板状部材７２に形成したロック部７６と、他方の板状部材７１に固定されたヒンジ部材７５とで構成し、ヒンジ部材７５の回動片をロック部７６に係合させて二枚の板状部材７１、７２を互いに係止させるようにする。第２のヒンジ部７４は、図１７にその一例を示すように、一方の板状部材７２を挟み込む断面コの字型の形状を有し、その一面に設けた窓状の受け部７７で他方の板状部材７１に形成した突起部７８を受けることで両板状部材７１，７２をロックするように構成されている。
【００４２】
上述した第６実施形態では、図１６に示す第２のヒンジ部７４のロック部７６をロックした状態において、底板係止手段２１で底板３を係止することができる。一方、図１８に示すように、第２のヒンジ部７４のロック部７６を開放し、第１のヒンジ部７３の軸部７３ｂを中心に、二枚の板状部材７１、７２が互いに離れるように回転させて、底板係止部２１を拡開させた状態において、底板３をコンテナ１から取り外すことができる。
【００４３】
また、第６実施形態では、短辺側の側板１１は、長辺側の側板１２に固定的に設けられている板状部材８１、８２と、前述したヒンジ部を設けた板状部材７１、７２とから構成されており、左右の板上部材８１と７１、および８２と７２とが、それぞれ第３のヒンジ部７９により連結されている。従って、コンテナ１を使用しない時には、図１９に示すように、板状部材７１，７２をコンテナ本体の内側に畳み込むようにすることによって、コンテナの搬送、保管の便宜を図ることができる。この場合、例えば図１９に示すように、長辺側の側板１２の上端および下端に係合部８０を設けて、折り畳んだコンテナ同士を容易に積み重ねられるようにすることが好ましい。
【００４４】
図２０は、第６実施形態の変形例を示す図である。すなわち、短辺側の側板１２に第３のヒンジ部を設けずに、板状部材７１または７２を長辺側の側板１２に固定的に形成するようにした。この場合、底板２１の外周縁に段差２１ａを設けて、コンテナ同士を容易かつ安定した状態で積み重ねられるようにするのが好ましい。
【００４５】
【発明の効果】
以上詳しく説明したとおり、本発明のコンテナは、底板が本体と別体に構成されていると共に、底板を本体に係止しているストッパを解除することによって、底板をコンテナを置いた位置に残したままコンテナ本体を容易にはずすことができる。従って、小分けして容器につめた商品などを陳列する場合に、陳列位置にコンテナを運んでそのまま、コンテナ本体をはずすだけで、商品を並べることができるため、商品を出し入れする手間を省くことができる。また、商品を箱詰めする際にも、底板を敷いた上に商品を並べて、コンテナ本体を被せるようにすれば、商品の収納の手間を大幅に省くことができる。さらに、コンテナ本体を、再使用可能な材質で作ることによって、通い箱として利用することができるため、資源の節約にも貢献できる。
【図面の簡単な説明】
【図１】本発明の第１の実施形態の構成を示す図である。
【図２】本発明の第１の実施形態の構成を示す図である。
【図３】本発明のコンテナの使用方法を説明するための図である。
【図４】本発明の第２の実施形態の構成を示す図である。
【図５】本発明の第２の実施形態の構成を示す図である。
【図６】本発明の第３の実施形態の構成を示す図である。
【図７】本発明の第３の実施形態の構成を示す図である。
【図８】本発明の第４の実施形態の構成を示す図である。
【図９】本発明の第４の実施形態の構成を示す図である。
【図１０】本発明の第５の実施形態の構成を示す図である。
【図１１】本発明の第１実施形態の変形例の構成を示す図である。
【図１２】本発明の第２実施形態の変形例の構成を示す図である。
【図１３】本発明の第３実施形態の変形例の構成を示す図である。
【図１４】本発明の第４実施形態の変形例の構成を示す図である。
【図１５】本発明の第５実施形態の変形例の構成を示す図である。
【図１６】本発明の第６の実施形態の構成を示す図である。
【図１７】本発明の第６の実施形態におけるロック部の構成を示す図である。
【図１８】本発明の第６の実施形態のコンテナを拡開した状態を示す図である。
【図１９】本発明の第６の実施形態のコンテナを折りたたんだ状態を示す図である。
【図２０】本発明の第６の実施形態の変形例の構成を示す図である。
【符号の説明】
１    コンテナ本体
２    底板
１１  第１の側板
１２  第２の側板
１３  上枠
１４  下枠
２１、３１、４１、５１、６１    底板係止部材
【図１】
0004105282.tif 000002
【図２】
0004105282.tif 000003
【図３】
0004105282.tif 000004
【図４】
0004105282.tif 000005
【図５】
0004105282.tif 000006
【図６】
0004105282.tif 000007
【図７】
0004105282.tif 000008
【図８】
0004105282.tif 000009
【図９】
0004105282.tif 000010
【図１０】
0004105282.tif 000011
【図１１】
0004105282.tif 000012
【図１２】
0004105282.tif 000013
【図１３】
0004105282.tif 000014
【図１４】
0004105282.tif 000015
【図１５】
0004105282.tif 000016
【図１６】
0004105282.tif 000017
【図１７】
0004105282.tif 000018
【図１８】
0004105282.tif 000019
【図１９】
0004105282.tif 000020
【図２０】
0004105282.tif 000021